(57)【特許請求の範囲】
【請求項１】
複数種類の紙葉類が投入され、シャッターで開閉される紙葉類投入口と、該紙葉類投入口から投入された紙葉類を搬送するフィードローラを有する紙葉類取扱装置において、
紙葉類の種類に対応して前記シャッターに形成された段差部と、
操作者の操作により紙葉類の種類を入力する入力手段と、
前記入力手段により入力された種類情報に基づいて前記シャッターを駆動して前記段差部を前記紙葉類投入口に進入させて紙葉類の種類に応じた大きさの開口を形成する駆動制御手段とを設け、
前記紙葉類は紙幣を含み、
前記入力手段により入力される種類情報は紙幣の入金取引情報を含み、
前記入力手段により入金取引が選択されると、前記駆動制御手段により前記段差部が前記紙葉類投入口に進入し、前記段差部が前記紙葉類投入口に進入して形成される開口の幅は、取り扱う前記紙幣のうちで最大幅の紙幣の幅より大きく設定され、前記開口の幅は、前記紙幣がどの位置で投入されても常に前記フィードローラに対向する大きさであることを特徴とする紙葉類取扱装置。
【請求項２】
前記紙葉類投入口に配設され、前記紙葉類の種類に応じた開口を示す点灯手段を設けた請求項１記載の紙葉類取扱装置。
【請求項３】
前記点灯手段は、閉状態における前記シャッターの背面側に前記紙葉類投入口全幅に亘って配設されたランプ列であり、前記段差部が前記紙葉類投入口に進入した場合でも該ランプ列のすべてのランプが点灯される請求項２記載の紙葉類取扱装置。
【請求項４】
前記点灯手段は、前記紙葉類投入口の外側にその全幅に亘って配設されたランプ列であり、
前記ランプ列は、前記入力手段により入力された紙葉類の種類情報に基づいて選択的に点灯される請求項２記載の紙葉類取扱装置。
【発明の詳細な説明】
【技術分野】
【０００１】
本発明は、複数種類の紙葉類を処理する紙葉類取扱装置に関し、特に、金融機関の店舗等に設置され、紙幣等の紙葉類が投入される紙葉類投入口をシャッターにより開閉する自動取引装置等の紙葉類取扱装置に関する。
【背景技術】
【０００２】
従来、金融機関の店舗等に設置される自動取引装置においては、入金取引を行う場合には顧客操作部で入金取引指示を行うと紙幣入出口のシャッターが開き、１枚または複数枚の紙幣を投入可能になる。投入された紙幣は分離部により１枚ずつ分離されて搬送され、認識部へ送られる。認識部では紙幣の真偽および金種を判定し、真券と判定された紙幣は一時保留部へ搬送される。入金金額が顧客により確定されると、一時保留部から紙幣が１枚ずつ繰出され、認識部で金種を判別して金種別に紙幣収納部へ収納される。
【０００３】
また出金取引を行う場合は、顧客の個人認証が行なわれた後、顧客が出金金額を入力すると、紙幣収納部から必要な金種及び枚数の紙幣が繰出され、紙幣入出口へ搬送される。紙幣入出口に必要枚数の紙幣が集積されると、シャッターが開けられ、顧客は紙幣入出口内の紙幣を取り出す。このような自動取引装置において、紙幣の他に有価証券である小切手を処理する機能を有する装置も使用されており、例えば、特許文献１（特開２００４−３５５４４８号公報）に開示されている。
【０００４】
上記特許文献１に開示される技術は、紙幣または小切手の紙葉類が共通の入出金口に投入されると、判別部に搬送され、判別部で紙幣と小切手が判別され、小切手と判別された紙葉類は入出金口へ戻され、投入された紙葉類が全て判別された後、入出金口に戻された小切手が速度を遅くして再度判別部へ搬送されて記載内容の高精度の認識を行なうというものである。
【特許文献１】特開２００４−３５５４４８号公報
【発明の開示】
【発明が解決しようとする課題】
【０００５】
しかしながら上記特許文献１に開示されるような従来の紙幣と小切手の両方を取り扱う自動取引装置においては、小切手と紙幣ではサイズの差が大きいので、投入された紙葉類の位置によってはフィードローラで搬送できない惧れがあるという問題があった。これについて図１８を用いて説明する。図１８は従来の課題を示す説明図である。
【０００６】
図１８は紙葉類入出口の内部を示す。図１８において、紙葉類入出口１にはフィードローラ２がシャフト３により回転可能に設けられている。紙葉類入出口１の幅は図に示すＡであり、フィードローラ２は一方の側壁１ａから距離Ｂの位置に配設される。小切手４はほぼ紙葉類入出口１の幅Ａと同程度の幅を有し、また紙幣５は小切手４よりも幅が狭い。なお紙幣５は縦搬送されるものである。
【０００７】
紙幣５が右側側壁１ａに近接して載置されると、実線で示すように紙幣５はフィードローラ２に対向する位置になるので紙幣５は装置内部に搬送される。しかしながら紙幣５が、破線で示すように、左側側壁１ｂに近接して載置された場合、紙幣５はフィードローラ２の搬送可能な位置から外れるので、この場合には紙幣５を装置内部に搬送することができず、正常処理ができないという事態になる。
【０００８】
そこで本発明は、共通の紙葉類投入口に種類の異なる紙葉類が投入される場合でも、確実に装置内に紙葉類を搬送することができる紙葉類取扱装置を提供することを目的とする。
【課題を解決するための手段】
【０００９】
上記課題を解決するために本発明による紙葉類取扱装置は、複数種類の紙葉類が投入され、シャッターで開閉される紙葉類投入口と、該紙葉類投入口から投入された紙葉類を搬送するフィードローラを有する紙葉類取扱装置において、紙葉類の種類に対応して前記シャッターに形成された段差部と、操作者の操作により紙葉類の種類を入力する入力手段と、前記入力手段により入力された種類情報に基づいて前記シャッターを駆動して前記段差部を前記紙葉類投入口に進入させて紙葉類の種類に応じた大きさの開口を形成する駆動制御手段とを設け、前記紙葉類は紙幣を含み、前記入力手段により入力される種類情報は紙幣の入金取引情報を含み、前記入力手段により入金取引が選択されると、前記駆動制御手段により前記段差部が前記紙葉類投入口に進入し、前記段差部が前記紙葉類投入口に進入して形成される開口の幅は、取り扱う前記紙幣のうちで最大幅の紙幣の幅より大きく設定され、前記開口の幅は、前記紙幣がどの位置で投入されても常に前記フィードローラに対向する大きさであることを特徴とするものである。
【発明の効果】
【００１０】
本発明によれば、紙葉類の種類に応じた開口を形成することで、紙葉類が投入されるべき位置が指示されるので、どの種類の紙葉類も搬送可能な位置に投入されるようになり、装置内への搬送を確実に行うことができる。
【発明を実施するための最良の形態】
【００１１】
以下、本発明の実施の形態を図面にしたがって説明する。各図面に共通する要素には同一の符号を付す。図１は本発明の実施例の自動取引装置を示す斜視図である。なお以下に説明する各実施例では、紙葉類取扱装置として自動取引装置を例にして説明する。
【実施例１】
【００１２】
図１において、紙葉類取扱装置としての自動取引装置１０には、顧客操作部１１、紙葉類入出口１２、カード入出口１３、通帳入出口１４および硬貨入出口１５を備えている。顧客操作部１１は表示部とタッチパネル式の入力部とから構成され、利用者の操作により各種の入力を行なうとともに、操作ガイダンス等を表示する。
【００１３】
紙葉類入出口１２は、紙葉類として紙幣または小切手が投入されるとともに、紙幣が排出される開口部である。紙葉類入出口１２には、後述するシャッターが設けられ、シャッターが駆動されることにより紙葉類入出口１２が開閉される。紙葉類入出口１２は装置内の後述する紙葉類処理部に接続されている。カード入出口１３は、取引で使用されるカードがここから挿入され、取引が終了するとカードが排出される。通帳入出口１４は、取引で使用される通帳がここから挿入され、取引が終了すると通帳が排出される。また硬貨入出口１５は、硬貨が投入／排出される開口部である。
【００１４】
図２は実施例１の紙葉類入出口を示す平面図である。図２において、紙葉類入出口１２には、シャッター２０が矢印Ｃ−Ｄ方向に移動可能に設けられている。なお図２においては、下側が装置の手前側で、上側が装置の奥側となっている。シャッター２０は、手前側に段差部２１を有し、略Ｌ字形状をしている。紙葉類入出口１２の開口部２２の幅Ｗ１は、幅広の紙葉類である小切手の幅より若干広く設定されている。シャッター２０の幅Ｗ２は、開口部２２の幅Ｗ１より若干大きく設定され、またシャッター２０の段差部２１の長さＬ１は、開口部２２の長さＬ２より若干大きく設定されている。
【００１５】
図３はシャッター２０が途中まで閉じられた状態（半開状態）を示す。図３に示すように、この半開状態では、シャッター２０の段差部２１のみが開口部２２に対向しており、この状態において、開口部２２の右端部と段差部２１の右端部までの幅Ｗ３は、装置で取り扱う紙幣のうちで最大幅の紙幣の幅より若干大きく設定されている。
【００１６】
図４は実施例１の紙葉類入出口を示す側断面図である。図４において、シャッター２０の下部にはラック２３が形成されており、このラック２３にギア２４が噛み合っている。ギア２４はアイドルギア２５を介してシャッターモータ２６のモータギア２７と噛み合っている。したがってシャッターモータ２６の回転によりシャッター２０は矢印Ｃ−Ｄ方向に移動可能である。
【００１７】
図５は実施例１の自動取引装置を示すブロック図である。なお図５では本発明に直接的に関係する要素のみを示しており、直接関係しないものについては図示していない。図５において、主制御部３１は自動取引装置１０の動作全体を制御するもので、主制御部３１には顧客操作部１１および紙葉類処理部３２が接続されている。顧客操作部１１は上述したように利用者の操作により各種の入力が行なわれるとともに、操作ガイダンス等が表示される。
【００１８】
紙葉類処理部３２は、投入される紙幣および小切手を収納処理するとともに、紙幣の出金処理を行うもので、制御部３３により動作制御される。紙葉類処理部３２は紙葉類入出口１２を含み、紙葉類入出口１２のシャッターモータ２６とシャッターモータ２６を駆動するモータ駆動回路３４が設けられている。モータ駆動回路３４は制御部３３により制御される。
【００１９】
次に実施例１の動作を説明する。ここでは紙葉類が投入されて処理される動作を図６のフローチャートにしたがって説明する。図６は実施例１の動作を示すフローチャートである。顧客が自動取引装置１０に接近すると（ステップ１）、主制御部３１は顧客操作部１１に取引選択画面を表示する（ステップ２）。図７に取引選択画面を示す。図７に示すように、取引選択画面４１には入金ボタン４１ａ、出金ボタン４１ｂなどとともに小切手処理ボタン４１ｃが表示される。
【００２０】
顧客が入金ボタン４１ａを押下すると（ステップ３のＹ）、制御部３３はモータ駆動回路３４を制御して、シャッター２０を半開状態にすべくシャッターモータ２６を駆動する（ステップ４）。ここでシャッター２０の半開とは、図３に示す状態のことで、シャッター２０の段差部２１のみが開口部２２に進入している状態である。制御部３３は予め設定された駆動量だけシャッターモータ２６を駆動することにより、シャッター２０を半開状態にする。
【００２１】
シャッター２０が半開状態の場合は、図８に示すように、紙葉類入出口１２の開口部２２の右端部とシャッター２０の段差部２１の右端部までの幅Ｗ３は、装置で取り扱う最大の紙幣の幅より大きく、また小切手の幅よりも小さく設定され、さらに紙幣がどの位置で投入されても、即ち、実線で示すように、紙幣５が開口部２２の右端部側に近接して投入されても、或いは破線で示すように、シャッター２０の段差部２１側に近接して紙幣５が投入されても、紙幣５は常にフィードローラ２に対向する位置に投入され、フィードローラ２による紙幣５の搬送が可能となる。なお図８は紙幣の投入位置を示す説明図である。
【００２２】
顧客が紙幣５を投入し、紙幣５の投入を図示しないセンサが検出すると（ステップ５）、制御部３３はシャッター２０を閉じ（ステップ６）、続いて挿入された紙幣５を図示しない分離手段により分離して（ステップ７）、１枚ずつ装置内の図示しない認識部に搬送し、入金処理を行う（ステップ８）。入金処理については周知であるので、詳細説明は省略する。
【００２３】
図７に示す取引選択画面４１において、顧客により小切手処理ボタン４１ｃが押下されると（ステップ９のＹ）、制御部３３はモータ駆動回路３４を制御して、シャッター２０を全開にすべくシャッターモータ２６を駆動する（ステップ１０）。シャッター２０の全開状態においては、小切手が投入可能であり、顧客が小切手を投入すると、図示しない検出手段がこれを検出し（ステップ１１）、シャッター２０を閉じる（ステップ１２）。これ以降は投入された小切手が装置内で処理されるが、これについての詳細説明は省略する。
【００２４】
以上のように実施例１によれば、サイズの小さい紙葉類である紙幣５が投入される場合、シャッター２０を半開状態にすることにより、紙葉類入出口１２の開口部２２の大きさを制限し、紙幣５が必ずフィードローラ２に対向する位置に投入されるようにしたので、サイズの小さい紙葉類である紙幣５の分離および搬送を確実に行うことが可能となる。
【実施例２】
【００２５】
図９は実施例２の紙葉類入出口を示す平面図である。図９において、実施例２の紙葉類入出口５１には開口部２２が設けられ、開口部２２の奥にはランプ列５２が配設されている。ランプ列５２は、シャッター２０が閉じられた際に、シャッター２０よりも奥側に配設されている。ランプ列５２は、例えば、複数のＬＥＤの列により構成される。
【００２６】
図１０は実施例２の自動取引装置を示すブロック図である。図１０において、実施例１と同様に、主制御部３１には顧客操作部１１および紙葉類処理部３２が接続されている。紙葉類処理部３２の制御部３３にはモータ駆動回路３４とともにランプ列５２が接続されている。制御部３３はシャッターモータ２６を駆動するモータ駆動回路３４を制御するとともに、ランプ列５２のオン／オフ制御を行なう。その他の構成は実施例１と同様であり、同一の要素については同一の符号を付して説明する。
【００２７】
次に実施例２の動作を図１１に示すフローチャートにしたがって説明する。図１１は実施例２の動作を示すフローチャートである。まず顧客が自動取引装置１０に接近すると（ステップ２１）、主制御部３１は顧客操作部１１に取引選択画面を表示する（ステップ２２）。
【００２８】
顧客が図７に示す入金ボタン４１ａを押下すると（ステップ２３のＹ）、制御部３３はランプ列５２のすべてのランプを点灯させる（ステップ２４）。次に制御部３３はモータ駆動回路３４を制御して、シャッター２０を半開状態にすべくシャッターモータ２６を駆動する（ステップ２５）。シャッター２０の半開状態を図１２に示す。図１２において、シャッター２０の段差部２１が開口部２２の左側部分を覆うとともに、ランプ列５２の対向する部分を覆っている。このため紙葉類入出口１２の開口部２２の右端部とシャッター２０の段差部２１の右端部までの範囲内にあるランプ列５２の点灯、即ち、紙幣５の投入可能幅における点灯が目視可能となり、顧客はこの幅の点灯を紙幣５投入のガイド手段とすることができる。
【００２９】
顧客が紙幣５を投入し、紙幣５の投入を図示しないセンサが検出すると（ステップ２６）、制御部３３はシャッター２０を閉じ（ステップ２７）、同時にランプ列５２を消灯させる（ステップ２８）。続いて、挿入された紙幣５を図示しない分離手段により分離して（ステップ２９）、１枚ずつ装置内の図示しない認識部に搬送し、入金処理を行う（ステップ３０）。入金処理については周知であるので、詳細説明は省略する。
【００３０】
図７に示す取引選択画面４１において、顧客により小切手処理ボタン４１ｃが押下されると（ステップ３１のＹ）、制御部３３はランプ列５２のすべてのランプを点灯させる（ステップ３２）。次に制御部３３はモータ駆動回路３４を制御して、シャッター２０を全開にすべくシャッターモータ２６を駆動する（ステップ３３）。シャッター２０の全開状態を図１３に示す。
【００３１】
図１３において、シャッター２０の全開状態においては、点灯されているランプ列５２の全部が目視可能であり、目視可能なランプ列５２が開口部２２の幅を示す。この全開状態においては、小切手が投入可能であり、顧客が小切手を投入すると、図示しない検出手段がこれを検出し（ステップ３４）、シャッター２０を閉じる（ステップ３５）。それと同時にランプ列５２を消灯する（ステップ３６）。これ以降は投入された小切手が装置内で処理されるが、これについての詳細説明は省略する。
【００３２】
以上のように実施例２に拠れば、上記実施例１の奏する効果に加えて、紙葉類入出口１２の開口部２２の投入可能な位置と大きさを容易に目視可能としたので、顧客が紙葉類を投入し易くなり、顧客満足度を向上させる効果を奏する。また顧客側で、投入可能な紙葉類の大きさを、紙葉類を投入前に認識できるので、異なる紙葉類の投入を防止することができる。例えば、紙幣５を投入するためにシャッター２０を半開にした状態で間違って紙幣より大きいサイズの紙葉類を投入しようとした場合に、顧客に事前に紙葉類の間違いに気付かせることができる。
【実施例３】
【００３３】
次に実施例３について説明する。図１４は実施例３の紙葉類入出口を示す平面図である。図１４において、実施例３の紙葉類入出口６１には開口部２２が設けられ、紙葉類入出口６１の上部にはランプ列６２が配設されている。ランプ列６２は、外部に露出した位置に配設されている。ランプ列５２は、実施例２と同様に、複数のＬＥＤの列により構成される。その他の構成は実施例２と同様であり、同一の要素については同一の符号を付して説明する。
【００３４】
次に実施例３の動作を図１５に示すフローチャートにしたがって説明する。図１５は実施例３の動作を示すフローチャートである。まず顧客が自動取引装置１０に接近すると（ステップ４１）、主制御部３１は顧客操作部１１に取引選択画面を表示する（ステップ４２）。
【００３５】
顧客が図７に示す入金ボタン４１ａを押下すると（ステップ４３のＹ）、制御部３３はランプ列５２のうち紙幣の投入幅に対応するランプを点灯させる（ステップ４４）。次に制御部３３はモータ駆動回路３４を制御して、シャッター２０を半開にすべくシャッターモータ２６を駆動する（ステップ４５）。シャッター２０の半開状態を図１６に示す。
【００３６】
図１６において、シャッター２０の段差部２１が開口部２２の左側部分を覆い、ランプ列６２のうち開口している部分に対応するランプ６２ａが点灯され、それ以外のランプ６２ｂが消灯されている。なお図１６において、ランプ状態の表示として白塗りが点灯を示し、黒塗りが消灯を示す。このため紙葉類入出口６１の開口部２２の右端部とシャッター２０の段差部２１の右端部までの範囲に対応するランプ列６２ａの点灯、即ち、紙幣５の投入可能幅に対応する点灯が目視可能となり、顧客はこの幅の点灯を紙幣５投入のガイド手段とすることができる。
【００３７】
顧客が紙幣５を投入し、紙幣５の投入を図示しないセンサが検出すると（ステップ４６）、制御部３１はシャッター２０を閉じ（ステップ４７）、同時にランプ６２ａを消灯させる（ステップ４８）。続いて、挿入された紙幣５を図示しない分離手段により分離して（ステップ４９）、１枚ずつ装置内の図示しない認識部に搬送し、入金処理を行う（ステップ５０）。入金処理については周知であるので、詳細説明は省略する。
【００３８】
図７に示す取引選択画面４１において、顧客により小切手処理ボタン４１ｃが押下されると（ステップ５１のＹ）、制御部３３はランプ列６２のすべてのランプを点灯させる（ステップ５２）。次に制御部３３はモータ駆動回路３４を制御して、シャッター２０を全開にすべくシャッターモータ２６を駆動する（ステップ５３）。シャッター２０の全開状態を図１７に示す。
【００３９】
図１７において、シャッター２０の全開状態においては、ランプ列６２のすべてのランプが点灯され、全てのランプの点灯で投入可能な開口部２２の幅が示される。この全開状態においては、小切手が投入可能であり、顧客が小切手を投入すると、図示しない検出手段がこれを検出し（ステップ５４）、シャッター２０を閉じる（ステップ５５）。それと同時にランプ列６２を消灯する（ステップ５６）。これ以降は投入された小切手が装置内で処理されるが、これについての詳細説明は省略する。
【００４０】
以上のように実施例３に拠れば、実施例２と同様に、紙葉類入出口１２の開口部２２の投入可能な位置と大きさが容易に目視可能としたので、顧客が紙葉類を投入し易くなり、顧客満足度を向上させる効果を奏する。
【００４１】
上記各実施例では、紙葉類入出口を有する紙葉類取扱装置として自動取引装置を例にして説明したが、例えば、自動改札機にも本発明は適用可能である。さらに本発明は、小切手の金額を現金に両替することができる装置にも、さらには小切手で品物を購入することができる自動販売機にも適用可能である。
【図面の簡単な説明】
【００４２】
【図１】実施例の自動取引装置を示す斜視図である。
【図２】実施例１の紙葉類入出口を示す平面図である。
【図３】実施例１の紙葉類入出口を示す平面図である。
【図４】実施例１の紙葉類入出口を示す即断面図である。
【図５】実施例１の自動取引装置を示すブロック図である。
【図６】実施例１の動作を示すフローチャートである。
【図７】取引選択画面を示す説明図である。
【図８】紙幣の投入位置を示す説明図である。
【図９】実施例２の紙葉類入出口を示す平面図である。
【図１０】実施例２の自動取引装置を示すブロック図である。
【図１１】実施例２の動作を示すフローチャートである。
【図１２】実施例２のシャッターの半開状態を示す平面図である。
【図１３】実施例２のシャッターの全開状態を示す平面図である。
【図１４】実施例３の紙葉類入出口を示す平面図である。
【図１５】実施例３の動作を示すフローチャートである。
【図１６】実施例３のシャッターの半開状態を示す平面図である。
【図１７】実施例３のシャッターの全開状態を示す平面図である。
【図１８】従来の課題を示す説明図である。
【符号の説明】
【００４３】
２  フィードローラ
４  小切手
５  紙幣
１０  自動取引装置
１２、５１、６１  紙葉類入出口
２０  シャッター
２１  段差部
２２  開口部
３１  制御部
５２、６２  ランプ列
【図１】
0005251138.tif 000002
【図２】
0005251138.tif 000003
【図３】
0005251138.tif 000004
【図４】
0005251138.tif 000005
【図５】
0005251138.tif 000006
【図６】
0005251138.tif 000007
【図７】
0005251138.tif 000008
【図８】
0005251138.tif 000009
【図９】
0005251138.tif 000010
【図１０】
0005251138.tif 000011
【図１１】
0005251138.tif 000012
【図１２】
0005251138.tif 000013
【図１３】
0005251138.tif 000014
【図１４】
0005251138.tif 000015
【図１５】
0005251138.tif 000016
【図１６】
0005251138.tif 000017
【図１７】
0005251138.tif 000018
【図１８】
0005251138.tif 000019